(57)【要約】【課題】チューブクランプとＡＦＦクリップを併用可能にするとともに、より簡易な機構でそれらを閉塞状態及び解放状態とする輸液ポンプを提供する。【解決手段】輸液ポンプは、先端部が正面パネルより露出するように本体に回動可能に設けられ、正面パネルに固定された凸部との間に輸液チューブを挟んで閉塞するチューブクランプを構成する回動アームと、印加された押圧力をチューブクランプを解放状態にするための回動アームへの回動力に変換する解除レバーとを有する。回動アームは、チューブクランプが輸液チューブを閉塞している状態で、クリップ装填部に装填されたクリップと接する接触面を介してクリップを閉塞状態にする。ドアが閉じるとレバー部材が押圧され、チューブクランプの閉塞状態が解除され、回動アームと閉塞状態のクリップとが離れる。この状態で、ドアに設けられた凸部がクリップを解除状態にするように作用する。【選択図】図４
2011212112.tif 000002
【特許請求の範囲】
【請求項１】
ドアと本体部の正面パネルとの間に輸液チューブを保持し、それを順次押圧して輸液を行う輸液ポンプであって、
第１の方向の力の印加により前記輸液チューブの途中部位を閉塞する閉塞状態となり、前記第１の方向とは異なる第２の方向の力の印加により輸液が可能な解除状態となるクリップを装填するクリップ装填手段と、
先端部が前記正面パネルより露出するように前記本体に回動可能に設けられ、前記正面パネルに固定された固定片の方向に付勢されて、前記先端部と前記固定片とで前記輸液チューブを挟んで閉塞する回動アームと、
前記正面パネルより一部が突出して突出部を形成し、前記突出部に加えられた押圧力を、前記付勢の方向とは反対の解放方向へ前記回動アームを回動する回動力に変換して前記回動アームによる閉塞状態を解除するレバー部材とを備え、
前記回動アームは、前記クリップ装填手段に装填された前記クリップと接する接触面を有し、前記回動アームの前記先端部と前記固定片が前記輸液チューブを閉塞している状態で、前記接触面を介して前記クリップに前記第１の方向の力を加えて前記クリップを閉塞状態にし、
前記ドアが閉じた状態にある場合、前記ドアは前記レバー部材に前記押圧力を加え、それにより前記回動アームが前記解放方向へ回動されて前記先端部による閉塞状態を解除するとともに前記接触面が閉塞状態にある前記クリップから離れ、更に前記ドアが前記クリップに前記第２の方向の力を加えて前記クリップの閉塞状態を解除することを特徴とする輸液ポンプ。
【請求項２】
前記クリップは、前記輸液チューブを閉塞する一方の閉塞部を形成した主基部と、前記輸液チューブを閉塞する他方の閉塞部を形成するとともに、前記主基部から弾性支持部を介して待機位置に移動付勢されるように延設される副基部と、前記副基部が前記第１の方向へ押圧されて前記閉塞状態となった前記主基部と前記副基部とを係止して前記閉塞状態を維持するとともに、前記第２の方向へ押圧されることで前記待機位置に戻されて前記解除状態にする係止部とを備え、
前記回動アームの前記接触面は、前記副基部を前記第１の方向へ押圧することを特徴とする請求項１に記載の輸液ポンプ。
【請求項３】
前記クリップ装填手段は、前記回動アームと前記固定片により構成されたクランプ部よりも、送液方向に対して上流側に設けられていることを特徴とする請求項１または２に記載の輸液ポンプ。
【請求項４】
前記クリップ装填手段は、前記回動アームと前記固定片により構成されたクランプ部よりも、送液方向に対して下流側に設けられていることを特徴とする請求項１または２に記載の輸液ポンプ。
【発明の詳細な説明】
【技術分野】
【０００１】
本発明は、輸液チューブの外周面を押圧して送液を行う輸液ポンプに関する。
【背景技術】
【０００２】
薬液バッグと接続された輸液チューブを保持し、その輸液チューブの外周面を複数のフィンガの押圧動作によって送液を行うポンプ機構を備えた輸液ポンプが用いられている（特許文献１）。このような複数のフィンガを備えたポンプ機構では、フィンガ毎に設けられたカムによりそれぞれのフィンガが個別に順次動作するようになっている。すなわち、カム面に沿ってフィンガを個別に往復動作させることによって、所定の連携されたタイミングで輸液チューブの押圧と開放を行い、これにより、所望の速度（流量）での送液を実現している。
【０００３】
一般に、輸液ポンプは、図１により後述するように、輸液バッグがセットされた輸液スタンドに装着されて用いられる。輸液バッグは輸液スタンドの高いところにセットされ、輸液ポンプよりも送液方向下流側には、クレンメ及び静脈刺針が接続される。そして、当該静脈刺針が患者の静脈に刺針され、留置されることで、輸液バッグ内の薬液が患者に設定された所定の流量（ｍＬ／ｈ）で注入される。輸液ポンプはドアを閉じることにより、本体とドアの間で輸液チューブを保持し、ポンプ機構のフィンガとドアの裏面に設けられたバックプレートとの間に輸液チューブを挟むことで輸液量を制御する。したがってドアが開放されると、輸液バッグからの液体が輸液チューブ及び静脈刺針を介して患者に対してフリーに流れ込む（フリーフロー）ことになる。
【０００４】
通常、このようなフリーフローの発生は、クレンメと呼ばれるチューブ閉塞部材により輸液チューブを閉塞してから輸液ポンプのドアを開けるという手順により防止される。しかしながら、近年の病院などでは各種医療器械が導入されている事情および熟練看護師の不足などから上記のクレンメの閉塞忘れが十分に予測される。このため患者に対する安全上の問題が指摘されている。
【０００５】
このような課題に鑑みて、特許文献１では、ドアが開けられたときに輸液チューブを閉塞状態するチューブクランプ部を正面パネルに設けた輸液ポンプが提案されている。特許文献１では、更に、輸液チューブを閉塞状態に維持するフリーフロー抑止クリップ（アンチフリーフロー（ＡＦＦ）クリップ）を当該輸液チューブの途中に設けてフリーフローの発生をより確実に防止している。特許文献１では、チューブクランプにより輸液チューブを閉塞するとともに、閉塞状態のＡＦＦクリップを装填した状態でドア閉じると、ドア側に設けられた凸部材等によりチューブクランプ及びＡＦＦクリップが解放状態となる。すなわち、ドアを閉じることにより輸液チューブの閉塞状態が解除され、輸液が可能となるように構成されている。また、この状態からドアを開けると、チューブクランプとＡＦＦクリップが再び閉塞状態に移行するように構成されている。
【先行技術文献】
【特許文献】
【０００６】
【特許文献１】特開２００４−７３８２２号公報。
【発明の概要】
【発明が解決しようとする課題】
【０００７】
上述したように、輸液ポンプは、輸液スタンドに装着されて用いられるものであるため、軽量、小型化が望まれている。フリーフローの発生から患者を守るためには、特許文献１に提案されているようにチューブクランプ部とＡＦＦクリップを併用することが望ましい。ところが、チューブクランプ部を閉塞状態及び解放状態とするための機構と、輸液ポンプに装填されたＡＦＦクリップを閉塞状態及び解放状態とするための機構の両方が必要になると、構造の複雑化、部品点数の増加を招いてしまう。この結果、輸液ポンプの小型化が阻害されるとともに、コストアップの要因ともなってしまう。
【０００８】
本発明は上記の課題に鑑みてなされたものであり、チューブクランプとＡＦＦクリップを併用可能にするとともに、より簡易な機構でそれらを閉塞状態及び開放状態とする輸液ポンプを提供することを目的とする。
【課題を解決するための手段】
【０００９】
上記の目的を達成するための本発明の一態様による輸液ポンプは以下の構成を備える。すなわち、
ドアと本体部の正面パネルとの間に輸液チューブを保持し、それを順次押圧して輸液を行う輸液ポンプであって、第１の方向の力の印加により前記輸液チューブの途中部位を閉塞する閉塞状態となり、前記第１の方向とは異なる第２の方向の力の印加により輸液が可能な解除状態となるクリップを装填するクリップ装填手段と、先端部が前記正面パネルより露出するように前記本体に回動可能に設けられ、前記正面パネルに固定された固定片の方向に付勢されて、前記先端部と前記固定片とで前記輸液チューブを挟んで閉塞する回動アームと、前記正面パネルより一部が突出して突出部を形成し、前記突出部に加えられた押圧力を、前記付勢の方向とは反対の解放方向へ前記回動アームを回動する回動力に変換して前記回動アームによる閉塞状態を解除するレバー部材とを備え、前記回動アームは、前記クリップ装填手段に装填された前記クリップと接する接触面を有し、前記回動アームの前記先端部と前記固定片が前記輸液チューブを閉塞している状態で、前記接触面を介して前記クリップに前記第１の方向の力を加えて前記クリップを閉塞状態にし、前記ドアが閉じた状態にある場合、前記ドアは前記レバー部材に前記押圧力を加え、それにより前記回動アームが前記解放方向へ回動されて前記先端部による閉塞状態を解除するとともに前記接触面が閉塞状態にある前記クリップから離れ、更に前記ドアが前記クリップに前記第２の方向の力を加えて前記クリップの閉塞状態を解除する。
【発明の効果】
【００１０】
本発明によれば、チューブクランプとＡＦＦクリップを併用可能にするとともに、より簡易な機構でそれらを閉塞状態及び解放状態とする輸液ポンプが提供される。
【図面の簡単な説明】
【００１１】
【図１】実施形態に係る輸液チューブが固定される輸液ポンプの外観構成の一例を示す図である。
【図２】実施形態に係る輸液ポンプのドア部を開いた状態の一例を示す図である。
【図３】実施形態に係る輸液ポンプへの、ＡＦＦクリップ付きの輸液チューブの装着を説明する図である。
【図４】実施形態に係るＡＦＦクリップの構造を説明する図である。
【図５】ドアを開けた状態におけるチューブクランプの状態を説明する図である。
【図６】ドアを開けた状態におけるチューブクランプの状態とＡＦＦクリップの装着状態を説明する図である。
【図７】ドアを開けた状態におけるチューブクランプの状態とＡＦＦクリップの装着状態を示す概略の斜視図である。
【図８】ドアを閉めた状態における、チューブクランプとＡＦＦクリップの状態を説明する図である。
【図９】回動アームと解除レバーの動作を説明する図である。
【発明を実施するための形態】
【００１２】
以下、本発明の各実施形態について図面を参照しながら説明する。
【００１３】
１．輸液ポンプの外観構成
図１は、本発明の一実施形態に係る輸液ポンプ１１０の外観構成の一例を示す図である。
【００１４】
図１に示すように、輸液チューブ１００の送液方向上流側には、所定の薬液が貯蔵され輸液バック１０１が接続され、また、送液方向下流側には、クレンメ１０２及び静脈刺針１０３が接続される。そして、当該静脈刺針１０３が患者の静脈に刺針されることで、輸液バック１０１内の薬液が患者に注入される。
【００１５】
輸液ポンプ１１０は、不図示の本体部に開閉可能に取り付けられたドア部１２０を備え、ドア部１２０の表面には、各種情報が表示される表示部１３０と、操作スイッチ類が配列された操作部１４０と、ドアロックレバー１５０とが配されている。
【００１６】
表示部１３０には、単位時間あたりの流量（送液速度）の設定値と実績値とを切り替えて表示する流量表示部１３１と、予定流量と積算流量とを切り替えて表示する予定量積算量表示部１３２と、各種アラームを表示するアラーム表示部１３３と、輸液チューブ１００の閉塞圧力の設定レベルを「Ｌ」、「Ｍ」、「Ｈ」で表示する閉塞圧設定表示部１３４とが配されている。
【００１７】
なお、アラーム表示部１３３には、更に、後述する気泡検出センサにより、輸液チューブ１００内の気泡が検出された場合に点灯する気泡検出表示部１３５と、輸液ポンプ１１０の内蔵バッテリの電圧が低下した場合に点灯するバッテリ電圧低下表示部１３６とが配されている。また、輸液チューブ１００の閉塞圧力が設定レベルに到達した場合に点灯する閉塞異常表示部１３７と、ドア部１２０が開状態になった場合に点灯するドア開状態表示部１３８と、輸液が完了した場合に点灯する完了表示部１３９とが配されている。
【００１８】
一方、操作部１４０には、送液速度や予定流量を設定するためのアップダウンスイッチ１４１と、押圧されている間、設定された送液速度（ｍＬ／ｈ）よりも高い送液速度での送液が可能となる送液スイッチ１４２とが配されている。
【００１９】
また、押圧されることで、輸液が開始される開始スイッチ１４４と、押圧されることで輸液が強制停止される停止スイッチ１４３と、輸液ポンプ１１０の電源のＯＮ／ＯＦＦを指示するための電源スイッチ１４５とが配されている。
【００２０】
なお、電源スイッチ１４５に隣接して、商用電源または直流電源を使用している場合に点灯する電源ランプ１４６と、内蔵バッテリを充電中に点灯するとともに、内蔵バッテリの残量を表示するバッテリランプ１４７とが配されている。
【００２１】
動作インジケータ１６０の内部には赤色と緑色に発光する発光ダイオードが内蔵されており、動作状態に応じて点灯するようにしている。すなわち、送液中と早送り中は点滅し、スタンバイ機能が働いている時は、赤色と緑色が交互に点滅して、輸液を即座に開始できる状態であることを知らせるようにしている。
【００２２】
２．ドア部裏面及び本体部正面パネルの構成
次に、輸液ポンプ１１０のドア部１２０裏面側の構成及び本体部２００の正面パネルの構成について説明する。
【００２３】
図２は、ドア部１２０が開状態である輸液ポンプ１１０の外観構成を示す図である。ドア部１２０を開けると、図２に示すように本体部２００の正面パネル２００ａが露出する。図２において、２０１はドアベースであり、ヒンジ部２０２を介して本体ベース２１１に回動可能に接続される。これにより、ドア部１２０が本体部２００に対して開閉自在となっている。
【００２４】
２０３はドアシールゴムであり、エラストマーにより形成され、ドア部１２０が閉状態となった場合に、本体部２００の内部に薬液が浸入するのを防止する。
【００２５】
２０４はバックプレート機構であり、ドア部１２０が閉じた状態で、フィンガ２１４−１〜２１４−５によって輸液チューブが押圧された場合に、該輸液チューブの背面を支持する。２０５は閉塞押え板であり、ドア部１２０が閉じた状態で、後述する閉塞センサ２１５との間で輸液チューブを挟持する。
【００２６】
正面パネル２００ａ側において、２１２は気泡検出センサであり、輸液チューブ１００の内部に混入する気泡の内で、チューブ内における長さが所定長さ（例えば、約１０ｍｍ）となる所定量（約０．０８ｃｃ）以上のものを検出する。気泡検出センサ２１２により気泡が検出されるとそれ以降の動作は強制的に停止される。また、気泡検出センサ２１２に対向する位置となるドアベース２０１側にはチューブ押え部２０６が形成されており、ドアベース２０１を閉じたときに輸液チューブ１００を不動状態にすることで正確な気泡検出を行えるようにしている。
【００２７】
２１３はポンプ機構であり、輸液チューブを順次押圧するフィンガ２１４−１〜２１４−５が送液方向に複数配列されている。
【００２８】
２１５は閉塞センサであり、永久磁石と、該永久磁石の移動量をアナログ的に検出するためのピックアップとから構成されている。閉塞センサ２１５は、輸液チューブ１００の閉塞状態に伴う内圧変化に応じて移動した永久磁石の移動量を検出することで、閉塞状態を検出する。
【００２９】
閉塞センサ２１５の下方には可動片３０１ａと固定片３０２とが設けられており、これらにより輸液チューブ閉塞機構であるチューブクランプ３００が構成される。可動片３０１ａは後述する回動アーム３０１の先端部であり、固定片３０２は正面パネルに固定されている。すなわち、回動アーム３０１の先端部は可動片３０１ａとして正面パネルより露出し、可動片３０１ａが固定片３０２側へ移動することで輸液チューブ１００を閉塞状態にする。また、チューブクランプ３００の下方には、後述するＡＦＦクリップを装填するクリップ装填部の開口３０３が設けられている。ガイド３０３ａは、ＡＦＦクリップを装填する際に、ＡＦＦクリップを開口３０３へ導くように機能する。
【００３０】
チューブクランプ３００は、ドア部１２０が開状態になった場合に、輸液チューブ１００を閉塞（圧閉）し、フリーフローの発生を防ぐ。３０４は解除レバーであり、当該解除レバー３０４が操作されることで、チューブクランプ３００によるクランプに対する押圧力の付加が解除（つまり、可動片３０１ａと固定片３０２による輸液チューブの圧閉が解除）される。
【００３１】
２１８は溝部であり、輸液チューブ１００が本体部２００に固定された際に、輸液チューブの幅方向の位置を規定する。２１９は、輸液ポンプ１１０を持ち運ぶ際にユーザが把持するためのハンドルである。ドア部１２０に設けられた凸部４１０は、ドア部１２０が閉じられた状態で、開口３０３を介してクリップ装填部に装填されているＡＦＦクリップに対して閉塞状態を解除する方向の力を印加する。輸液チューブ１００を閉塞及び解除するこれらの構成については後述する。
【００３２】
図３は、輸液チューブ１００をＡＦＦクリップ４００を用いて閉塞状態にした後に、輸液ポンプ１１０に装填する様子を斜め上から見た外観斜視図である。図３において、既に説明済みの構成部品については同様の符号を附して説明を割愛する。図３では、ＡＦＦクリップ４００が輸液チューブ１００の途中部位に設けられ、当該途中部位を閉塞状態とするようにセットされている。
【００３３】
輸液ポンプ１１０のドア部１２０を開き、解除レバー３０４を操作してチューブクランプ３００による閉塞状態を解除し、輸液チューブ１００を溝部２１８にセットし、ＡＦＦクリップ４００を開口３０３より装填する。これに続きドア部１２０を閉めレバー１５０を操作して本体に固定すると、チューブクランプ３００とＡＦＦクリップ４００の閉塞状態が解除されて解除状態になり輸液開始の準備が整うことになる。以下、チューブクランプ３００とＡＦＦクリップ４００を閉塞状態や解除状態とする本実施形態の構成について詳述する。
【００３４】
３．チューブクランプ及びクリップ装填部の詳細な説明
図４の（ａ）は、樹脂射出成型後のＡＦＦクリップ４００を示した外観斜視図である。また、図４の（ｂ）は（ａ）に示したＡＦＦクリップ４００の待機状態を示した平面図である。更に、図４の（ｃ）はＡＦＦクリップ４００を輸液チューブ１００を閉塞する閉塞状態にした後の断面図である。
【００３５】
先ず、図４の（ａ）において、ＡＦＦクリップ４００は、繰り返し弾性変形可能なエンジニアリングプラスチックであるナイロン系のポリアセタール樹脂（登録商標であるジュラコン）から一体樹脂形成されると良い。また、輸液チューブ１００を閉塞するための一方の閉塞部２１を形成した主基部２０と、輸液チューブ１００を閉塞する他方の閉塞部３１を形成するとともに、この主基部２０から弾性支持部３３を介して解除方向に自然状態で移動付勢されるように延設される副基部３４とが図示のように一体成型されている。
【００３６】
また、主基部２０の端部には第１の延設部２２が、副基部３４の端部には第２の延設部４１がそれぞれ設けられており、主基部２０と副基部３４とを係止する係止部が構成されている。係止部は、ＡＦＦクリップ４００が図４（ｂ）に示すような解除状態と図４（ｃ）に示すような閉塞状態との２つの状態のいずれかを維持するように主基部２０と副基部３４を係止する。なお、図４（ａ）は係止部が完全にはずされた状態が示されており、この状態でＡＦＦクリップ４００を輸液チューブ１００に装着したり、輸液チューブ１００からはずしたりすることが可能となる。図４（ｃ）に示す閉塞状態において、外周面よりも奥側に位置する押圧面４１ａを矢印Ｆ２の方向へ押圧することで、主基部２０と副基部３４は閉塞状態から図４（ｂ）に示すような待機位置に戻されて、ＡＦＦクリップ４００は解除状態となる。
【００３７】
ここで、ＡＦＦクリップ４００は上記の樹脂成型品に限らず、使用樹脂の種類は特に焼却処分時に有毒ガスを発生しない種類が望ましく、さらに金属製等を組み合わせたものでも良い。
【００３８】
主基部２０からは、上述したように第１の弾性支持部３３が一体成型されており、これに連続して副基部３４がさらに一体成型されている。この第１の弾性支持部３３は板厚の方向に弾性変形できるように円弧形状または曲面状に形成されており、図４（ａ）の矢印Ｆ１方向に外力が加わることで主基部２０に形成された一方の閉塞部２１に向けて他方の閉塞部３１が移動して輸液チューブ１００を閉塞するように構成されている。
【００３９】
次に、上述した係止部についてより詳しく説明する。所定板厚を有する第１の延設部２２が主基部２０から図示のように連続形成されている。一方、この第１の延設部２２において上記の一方の閉塞部２１に向けて爪状の第１の係止部２３が形成されている。
【００４０】
また、副基部３４から連続形成される円弧状の第２の弾性支持部４０は、自然状態では上記の他方の閉塞部３１から常時離れるように移動付勢されて延設されている。この第２の弾性支持部４０の端部からは、上記の第１の延設部２２を間に潜入させ、かつ第１の延設部２２より小さな外周面において押圧面４１ａを夫々有した一対の第２の延設部４１が一体成型されている。さらに一対の第２の延設部４１の間には上記の第１の係止部２３に係止するために傾斜面と垂直面とを有する第２の係止部４３が補強を兼ねて一体成型されている（図４（ｃ））。
【００４１】
なお、第１の延設部２２の上下面には傾斜面と垂直面とから形成される第３の係止部２４が形成されている。また、一対の第２の延設部４１のそれぞれの対向面には、上下面に形成されている第３の係止部２４に同時に係止する第４の係止部４４が一体成型されている。
【００４２】
以上の構成により、副基部３４が矢印Ｆ１方向に外力により移動されることで、図４（ｃ）に図示するように第１の係止部２３と第２の係止部４３とが係止されて輸液チューブ１００の閉塞状態が維持されることになる。
【００４３】
一方、一対の押圧面４１ａを矢印Ｆ２方向に同時に押圧することで、円弧状の第２の弾性支持部４０が矢印Ｆ２の方向に移動される。この結果、第２の係止部４３が矢印Ｆ２の方向に移動され、第１の係止部２３との間の係止状態が解除される。また、この動作に合い前後して第１の弾性支持部３３の有する弾性戻り力により副基部３４が、図４（ｂ）に図示する位置に復帰され、第３の係止部２４と第４の係止部４４とが係止する待機位置に戻される。以上で輸液チューブ１００の解除状態が維持されることとなる。
【００４４】
なお、ＡＦＦクリップ４００は、第１の方向への力の印加により輸液チューブの途中部位を閉塞する閉塞状態となり、第１の方向とは異なる第２の方向（例えば第１の方向に対して直交する方向）への力の印加により輸液が可能な解除状態となるものであればよい。したがって、上述した主基部２０や副基部３４、係止部等の構造や配設位置等は上記に限定されず適宜設定可能であることは言うまでもない。
【００４５】
図５は、本実施形態の輸液ポンプ１１０における、回動アーム３０１と解除レバー（レバー部材）３０４の構成例を説明する図(輸液ポンプ１１０を下から見た図)であり、図２のＸ−Ｘ線矢視断面を模式的に示した図である。
【００４６】
回動アーム３０１はクランプ機構用ベース部材３１２に固定された軸３１１を中心として回動可能に取り付けられており、不図示のばね等により固定片３０２の側に向けて付勢されている。ドア部１２０が開いた状態では、この付勢力によって回動アーム３０１は固定片３０２の方へ回動され、これにより、正面パネルより露出する先端部である可動部３０１ａと固定片３０２とで前記輸液チューブ１００を挟んで閉塞する。解除レバー３０４は、リンク部材３１０により回動アーム３０１とリンクされている。解除レバー３０４は、後述のように、正面パネルよりその一部が突出して突出部を形成し、ドア部１２０が閉状態となったときにドア部１２０の裏側によりこの突出部が押され、全体がスライドする。このスライドにより、リンク部材３１０を介して、上記付勢の方向とは逆の、チューブクランプ３００の閉塞状態を解除する開放方向への回動力が回動アーム３０１に加わることになる。
【００４７】
図６は、輸液ポンプ１１０を下から見た図で、クリップ装填部に上述したＡＦＦクリップ４００が装填された状態を示している。ドア部１２０が開いた状態において、回動アーム３０１は上述のように先端部が固定片３０２との間に輸液チューブ１００を挟んで閉塞状態にするとともに、接触面３０１ｂが、ＡＦＦクリップ４００の副基部３４を矢印Ｆ１の方向から圧迫した状態となる。すなわち、この状態において、可動片３０１ａと固定片３０２とからなるチューブクランプ３００が輸液チューブ１００を閉塞するとともに、ＡＦＦクリップ４００も接触面３０１ｂにより矢印Ｆ１方向の力を受けて閉塞状態となる。
【００４８】
図７は図６に示した状態を、正面パネルの側から見た外観図である。回動アーム３０１は先端部の可動片３０１ａが固定片３０２との間で輸液チューブ１００を閉塞するとともに、接触面３０１ｂがＡＦＦクリップ４００の副基部３４を圧迫して、ＡＦＦクリップ４００が輸液チューブ１００を閉塞した状態にする。
【００４９】
図８はドア部１２０を閉じた状態を示す図である。ドア部１２０を閉じると、ドア部１２０の裏側が解除レバー３０４に当接し、解除レバー３０４を押し下げる。解除レバー３０４は、この押し下げ方向の力（矢印Ｆ３の方向の力）を、リンク部材３１０によって回動アーム３０１に対する矢印Ｆ４の方向の回動力に変換する。すなわち、解除レバー３０４とリンク部材３１０により構成されるレバー機構は、正面パネルより突出して突出部に加えられた押圧力を、上記付勢の方向とは反対の解放方向（矢印Ｆ４の方向）へ回動アーム３０１を回動する回動力に変換する。
【００５０】
解除レバー３０４より受ける矢印Ｆ４の方向の回動力が上述した固定片３０２の方向への付勢力に打ち勝つと、回動アーム３０１は矢印Ｆ４の方向（解放方向）に回動する。その結果、回動アーム３０１の先端部である可動片３０１ａが固定片３０２から離れるとともに、接触面３０１ｂが閉塞状態にあるＡＦＦクリップ４００の副基部３４から離れる。可動片３０１ａが固定片３０２から離れることにより、輸液チューブ１００の閉塞状態は解除され、輸液チューブ１００は解放状態となる。また、ドア部１２０の裏側には、ドア部１２０が閉じた状態のときに、ＡＦＦクリップ４００の一対の押圧面４１ａを矢印Ｆ２の方向へ押圧する凸部４１０が設けれている。したがって、ドア部１２０が閉じられると、接触面３０１ｂが閉塞状態のＡＦＦクリップ４００の副基部３４から離れるとともに、押圧面４１ａが矢印Ｆ２の方向へ押圧されることになり、ＡＦＦクリップ４００はその閉塞状態を解除する。この結果、ＡＦＦクリップ４００は図４（ｂ）に示す解除状態となる。
【００５１】
こうして、ドア部１２０が閉じられることにより、チューブクランプ３００及びＡＦＦクリップ４００による輸液チューブ１００の閉塞状態が解除され、輸液チューブ１００は解放状態となる。その結果、送液方向に複数配列されているフィンガ２１４−１〜２１４−５により、所望のスピードでの輸液を実行することが可能となる。
【００５２】
図９は、上述した回動アーム３０１と解除レバー３０４のリンクによる回動アーム３０１の回動動作を説明する図である。回動アーム３０１は不図示の圧縮コイルばね等により矢印９０１の方向へ付勢されている。そのため、解除レバー３０４に力が加わっていない場合には、回動アーム３０１の先端部である可動片３０１ａと固定片３０２とが輸液チューブ１００を挟み、輸液チューブ１００を閉塞状態とする。この状態を図９（ａ）に示す。ドア部１２０が閉じられると、図９（ｂ）に示すように、解除レバー３０４はドア部１２０の裏側により矢印９０２の方向への力を受ける。解除レバー３０４が矢印９０２の方向への力を受けると、解除レバー３０４の移動に伴って、リンク部材３１０が回動アーム３０１に矢印９０３の方向への回動力を与える。この回動力が矢印９０１の方向への付勢力を上回ると、回動アーム３０１は矢印９０３の方向へ回動し、チューブクランプ３００は輸液チューブ１００を解放状態とする。
【００５３】
以上説明したように、上記実施形態によれば、一つの回動アーム３０１にチューブクランプ３００を構成する可動片３０１ａの部分と、ＡＦＦクリップ４００の閉塞状態にするための接触面３０１ｂとが設けられている。これにより、一つの回動アーム３０１の回動を制御することで、チューブクランプ３００とＡＦＦクリップ４００を併用可能にするとともに、チューブクランプ３００とＡＦＦクリップ４００の閉塞状態、解放状態を制御することが可能となった。すなわち、より簡易な機構で、チューブクランプ３００とＡＦＦクリップ４００を閉塞状態及び解放状態とする輸液ポンプを提供することができ、輸液ポンプの部品点数の減少、小型化、コスト削減に寄与する。
【００５４】
なお、上記説明では、チューブクランプ３００がＡＦＦクリップ装填部よりも送液方向に関して上流側に配置されている構成を説明したが、チューブクランプ３００がＡＦＦクリップ装填部よりも下流側に位置するようにしても良い。
【図１】
2011212112.tif 000003
【図２】
2011212112.tif 000004
【図３】
2011212112.tif 000005
【図４】
2011212112.tif 000006
【図５】
2011212112.tif 000007
【図６】
2011212112.tif 000008
【図７】
2011212112.tif 000009
【図８】
2011212112.tif 000010
【図９】
2011212112.tif 000011